(57)【特許請求の範囲】
【請求項１】
体圧を分散可能なマットレスであって、
長手方向に分割され、各別に表裏利用可能な複数のマットレス部材を備え、
各マットレス部材が、
低硬度の第１外側表面を有する第１層部と、
前記第１層部に対向して設けられ、高硬度の第２外側表面を有する第２層部と、を有し、
前記第１層部及び前記第２層部の少なくとも一方が、他方の側に位置する内側表面において、前記長手方向に交差する幅方向に延在して両端で開口する第１逆溝部及び前記長手方向に延在して両端で開口する第２逆溝部の少なくとも一方を有し、
前記第１逆溝部が前記幅方向において略Ｍ字状の断面を有して複数設けられており、前記長手方向の中央領域における第１逆溝部がその周辺領域の第１逆溝部よりも前記第２層部の側に位置する第１内側表面に対して低い溝高さを有する
ことを特徴とするマットレス。
【請求項２】
体圧を分散可能なマットレスであって、
長手方向に分割され、各別に表裏利用可能な複数のマットレス部材を備え、
各マットレス部材が、
低硬度の第１外側表面を有する第１層部と、
前記第１層部に対向して設けられ、高硬度の第２外側表面を有する第２層部と、を有し、
前記第１層部及び前記第２層部の少なくとも一方が、他方の側に位置する内側表面において、前記長手方向に交差する幅方向に延在して両端で開口する第１逆溝部及び前記長手方向に延在して両端で開口する第２逆溝部の少なくとも一方を有し、
前記第２逆溝部が前記幅方向の中央領域を挟む周辺領域に前記長手方向において複数設けられている
ことを特徴とするマットレス。
【請求項３】
体圧を分散可能なマットレスであって、
長手方向に分割され、各別に表裏利用可能な複数のマットレス部材を備え、
各マットレス部材が、
低硬度の第１外側表面を有する第１層部と、
前記第１層部に対向して設けられ、高硬度の第２外側表面を有する第２層部と、を有し、
前記第１層部及び前記第２層部の少なくとも一方が、他方の側に位置する内側表面において、前記長手方向に交差する幅方向に延在して両端で開口する第１逆溝部及び前記長手方向に延在して両端で開口する第２逆溝部の少なくとも一方を有し、
さらに、前記第１層部及び前記第２層部の前記幅方向の各端部に挟まれるように設けられ、前記第１逆溝部に対応する位置にあって前記幅方向に両端に開口して延在する第３逆溝部を有する端座位支持部を備える
ことを特徴とするマットレス。
【請求項４】
前記複数のマットレス部材が、使用者の頭部、殿部及び足部に対応する３つのマットレス部材から構成されることを特徴とする請求項１から３のいずれか１項に記載のマットレス。
【請求項５】
前記第１層部の前記第１外側表面が前記幅方向に所定の間隔で延在する凹凸部によって構成され、前記第２層部の前記第２外側表面が平面によって構成されることを特徴とする請求項１から４のいずれか１項に記載のマットレス。
【請求項６】
前記端座位支持部が前記第１層部及び前記第２層部よりも硬度の高い素材を含むように構成されていることを特徴とする請求項３に記載のマットレス。
【請求項７】
さらに、各マットレス部材をそれぞれ包むインナーカバーと、前記インナーカバーに包まれた各マットレス部材を前記長手方向に並べて入れる本体カバーを備えることを特徴とする請求項１から６のいずれか１項に記載のマットレス。
【請求項８】
前記第１層部及び前記第２層部が単層構造又は多層構造を有していることを特徴とする請求項１から７のいずれか１項に記載のマットレス。
【発明の詳細な説明】
【技術分野】
【０００１】
本発明は、マットレス、特に、体圧分散式のマットレスに関する。
【背景技術】
【０００２】
従来、自身で動けるものの身体に何らかの障害又は不自由さを有する人や、寝起きに一部介助が必要な人に供するベッドについて、体圧を分散し、床ずれを防止するマットレスが知られている（例えば、特許文献１参照）。
【０００３】
特許文献１は、体重の重い人も軽い人も適度な柔らかさが得られ、また、長時間寝ていても褥瘡（床ずれ）を起こしにくく、さらには介護者等が頻繁にマットレスの端に座っても復元性が損なわれず、長期間に亘って使用することができるベッド用マットレスを提供することを目的とし、マットレス本体の表裏の一方を低硬度側発泡体層、他方を高硬度側発泡体層として表裏の発泡体層を積層したものからなり、体重に応じて表裏を逆にして使用可能（リバーシブル）とするものを開示している。
【０００４】
しかしながら、特許文献１のマットレスは、その全体の表裏を逆にするものであるため、使用者が身体の部位、例えば頭部、殿部、足部などごとに横臥の感触を変えたいと思っても対応できず、また、身体の部位ごとにマットレスの“ヘタリ（凹み）”が生じたときに全体を取り替える必要が生じ、費用的に嵩むという問題があった。さらには、単体のマットレスでは清潔さを維持するために洗浄することが難しいという問題があった。
【先行技術文献】
【特許文献】
【０００５】
【特許文献１】特開２００２−２２３９０１号公報
【発明の概要】
【発明が解決しようとする課題】
【０００６】
本発明は、上述のような課題に鑑みなされたものであり、使用者の身体の部位ごとに横臥の感触を変更可能であるとともに、“ヘタリ（凹み）”が生じたときには当該部分のみを取り替えることができ、さらには、使用時の湿気籠もりを防止し、内部まで洗浄し易く、洗濯後においても水切れが容易で乾燥し易いマットレスを提供することを目的とする。
【課題を解決するための手段】
【０００７】
本発明は、上記目的を達成するために、以下の構成によって把握される。
（１）本発明の第１の観点は、体圧を分散可能なマットレスであって、長手方向に分割され、各別に表裏利用可能な複数のマットレス部材を備え、各マットレス部材が、低硬度の第１外側表面を有する第１層部と、前記第１層部に対向して設けられ、高硬度の第２外側表面を有する第２層部と、を有し、前記第１層部及び前記第２層部の少なくとも一方が、他方の側に位置する内側表面において、前記長手方向に交差する幅方向に延在して両端で開口する第１逆溝部及び前記長手方向に延在して両端で開口する第２逆溝部の少なくとも一方を有することを特徴とする。
【０００８】
（２）上記（１）の構成において、前記複数のマットレス部材が、使用者の頭部、殿部及び足部に対応する３つのマットレス部材から構成される。
【０００９】
（３）上記（１）又は（２）の構成において、前記第１層部の前記第１外側表面が前記幅方向に所定の間隔で延在する凹凸部によって構成され、前記第２層部の前記第２外側表面が平面によって構成される。
【００１０】
（４）上記（１）から（３）のいずれか１つの構成において、前記第１逆溝部が前記幅方向において略Ｍ字状の断面を有して複数設けられており、前記長手方向の中央領域における第１逆溝部がその周辺領域の第１逆溝部よりも前記第２層部の側に位置する第１内側表面に対して低い溝高さを有する。
【００１１】
（５）上記（１）から（４）のいずれか１つの構成において、前記第２逆溝部が前記幅方向の中央領域を挟む周辺領域に前記長手方向において複数設けられている。
【００１２】
（６）上記（１）から（５）のいずれか１つの構成において、さらに、前記第１層部及び前記第２層部の前記幅方向の各端部に挟まれるように設けられ、前記第１逆溝部に対応する位置にあって前記幅方向に両端に開口して延在する第３逆溝部を有する端座位支持部を備える。
【００１３】
（７）上記（６）の構成において、前記端座位支持部が前記第１層部及び前記第２層部よりも硬度の高い素材を含むように構成されている。
【００１４】
（８）上記（１）から（７）のいずれか１つの構成において、さらに、各マットレス部材をそれぞれ包むインナーカバーと、前記インナーカバーに包まれた各マットレス部材を前記長手方向に並べて入れる本体カバーを備える。
【００１５】
（９）上記（１）から（８）のいずれか１つの構成において、前記第１層部及び前記第２層部が単層構造又は多層構造を有している。
【発明の効果】
【００１６】
本発明によれば、使用者の身体の部位ごとに横臥の感触を変更可能であるとともに、“ヘタリ（凹み）”が生じたときには当該部分のみを取り替えることができ、さらには、使用時の湿気籠もりを防止し、内部まで洗浄し易く、洗濯後においても水切れが容易で乾燥し易いマットレスを提供することができる。
【図面の簡単な説明】
【００１７】
【図１】本発明の実施形態に係るマットレスについて、分割された複数のマットレス部材の配置の一例を示す斜視図である。
【図２】１つのマットレス部材を示す図であって、（ａ）は平面図、（ｂ）は側面図、（ｃ）は正面図である。
【図３】マットレス部材を構成する第１層部を示す図であって、（ａ）は平面図、（ｂ）は側面図、（ｃ）は正面図である。
【図４】マットレス部材を構成する第２層部を示す図であって、（ａ）は平面図、（ｂ）は側面図、（ｃ）は正面図である。
【図５】マットレス部材を構成する端座位支持部を示す図であって、（ａ）は平面図、（ｂ）は側面図、（ｃ）は正面図である。
【図６】端座位支持部に使用者が腰掛けた状態を示す図である。
【図７】マットレス部材をインナーカバーに包んだ状態を示す図である。
【図８】マットレスを本体カバーに収納して折り畳んだ状態を示す図である。
【図９】図１に対応して、分割された複数のマットレス部材の配置の他例を示す斜視図である。
【図１０】分割されたマットレス部材を部分的に取り替えることを説明する図である。
【発明を実施するための形態】
【００１８】
以下、本発明を実施するための形態（以下、「実施形態」という）を、添付図面に基づいて詳細に説明する。なお、実施形態の説明の全体を通して同じ要素には同じ番号を付している。また、使用者が横臥したときの頭部から足部にかけての上下方向を長手方向と、長手方向と交差し、使用者が横臥したときの左右方向を幅方向という。
【００１９】
（マットレスの全体構成）
本実施形態に係るマットレス１は、体圧を分散可能なものであって、複数に分割されたマットレス部材１０を各別にインナーカバー２０に包み、そのマットレス部材１０を１つの本体カバー３０に長手方向に並べて入れた状態で構成されている。図１では、説明の都合上、インナーカバー２０及び本体カバー３０を省略して図示している。インナーカバー２０及び本体カバー３０については、項をあらためて後述することとする。
【００２０】
各々のマットレス部材１０は、表裏利用可能（リバーシブル）に使用することができ、後述するように、硬度の異なる表裏面を有している。図１では、マットレス部材１０が、上部マットレス部材１０ａ、中部マットレス部材１０ｂ、下部マットレス部材１０ｃの３つに分割された例を示しており、それぞれのマットレス部材１０の横臥面について、上部マットレス部材１０ａ及び中部マットレス部材１０ｂでは相対的に低硬度の第１外側表面４０ａ、下部マットレス部材１０ｃでは相対的に高硬度の第２外側表面５０ａとされている。
【００２１】
マットレス部材１０の分割の数は３分割に限られるものではなく、２分割でも、４分割以上であってもよい。例えば、ここで示したように３分割した場合には、使用者を標準的な成人とすると、上部マットレス部材１０ａが主に頭部に、中部マットレス部材１０ｂが主に殿部に、下部マットレス部材１０ｃが主に足部に、それぞれ対応する。因みに、４分割したような場合には、４つのマットレス部材１０は、上から順に、頭部、腹部、殿部、足部に対応するようにすることができる。本実施形態では、分割されたマットレス部材１０がそれぞれ同様の構成を有しているが、以下にマットレス部材１０の構成について説明する。
【００２２】
（マットレス部材の概要）
マットレス部材１０は、図１及び図２に示すように、第１層部４０と、第１層部４０に対向する第２層部５０とを備えている。また本実施形態では、さらに、第１層部４０の幅方向の両方の端部４１と、第２層部５０の幅方向の両方の端部５１の間に、端座位支持部６０が挟まれるように設けられている。第１層部４０、第２層部５０、端座位支持部６０は、それぞれの当接面において、接着されている。
【００２３】
第１層部４０は、相対的に低硬度の第１外側表面４０ａを有しており、第２層部５０は、相対的に高硬度の第２外側表面５０ａを有している。第１層部４０の第１外側表面４０ａを横臥面とした場合には使用者に柔らかな質感を与え、第２層部５０の第２外側表面５０ａを横臥面とした場合には使用者にしっかりした質感を与えることができ、表裏利用可能に構成されている。本実施形態では、詳しくは後述するように、第１外側表面４０ａを凹凸状（スリット形状）に、第２外側表面５０ａを平面状に形成することによって、硬度の相対化を図っている。
【００２４】
端座位支持部６０は、使用者がベッドの左右に腰掛けたときに腰が落ちた姿勢になって立上り難くなることを避けるため、第１層部４０及び第２層部５０よりも硬度の高い素材を含んで構成されている。以下に、マットレス部材１０の構成要素ごとに説明する。
【００２５】
（第１層部）
まず、図１、図２に加えて図３（ａ）（ｂ）（ｃ）を参照して、第１層部４０について説明する。第１層部４０は、第１外側表面４０ａに、所定の間隔で幅方向に延在する凹凸部４２を有する。第１層部４０は、中硬度のウレタンフォームから形成されているが、この凹凸部４２によって、第１外側表面４０ａは相対的に低硬度となっており、使用者の身体を優しく包み込むような横臥面を提供することができる。
【００２６】
図３（ｂ）では、凹凸部４２は、２２個の凸部４２ａと、その間の２１個の凹部４２ｂとから構成された例を示しているが、凸部４２ａと凹部４２ｂの数や配置のレイアウト、凸部４２ａ及び凹部４２ｂの幅及び高さなどは、所望の低硬度を得られるように設定すればよい。ここでは、凹凸部４２の両端を除き、凸部４２ａと凹部４２ｂを均一に配置している。両端においては、マットレス部材１０の幅方向の全長と凹凸部４２の幅とのバランスを考慮して、凹凸部４２の最先端の凸部４２ａは他よりも厚く、最先端よりも１つ中央寄りの凸部４２ａは他よりも薄く、それぞれ形成されている。
【００２７】
第１層部４０の第１外側表面４０ａの反対側の面、すなわち第２層部５０の側に位置する第１内側表面４０ｂには、幅方向に延在して両端で開口する第１逆溝部４３が設けられている。第１逆溝部４３は、使用者が横臥してマットレス１を使用する際に湿気が籠もり難くし、また乾燥し易いという効果を奏する。さらに、マットレス１をマットレス部材１０ごとに洗濯する際にも、内部まで洗浄し易くし、洗濯後においても水切れが容易で乾燥し易いという効果を奏する。
【００２８】
ここでは、第１逆溝部４３として、略Ｍ字状の断面を有する溝を複数設けた例を示している。ここでは第１逆溝部４３を６個設けているが、その数は６個に限られることなく、所望の数とすることができる。第１逆溝部４３の断面は略Ｍ字状に形成されており、Ｍ字の中央部によって体圧の一部を支持し、マットレス部材１０が沈み込み過ぎることを抑制するようにしている。また、長手方向の中央領域における第１逆溝部４３（図中、中央寄りの２個）は、周辺領域の第１逆溝部４３（図中、左右の２個ずつ計４個）よりも第１内側表面４０ｂに対して低い溝高さを有するように構成されている。これについても、マットレス部材１０が、長手方向の中央領域において、長期間の使用に起因して変形して元に戻らなくなる“ヘタリ”を抑制する方向に寄与する。
【００２９】
図３（ｃ）に示すように、第１層部４０の第１内側表面４０ｂには、長手方向に延在して両端で開口する複数の第２逆溝部４４が設けられている。第２逆溝部４４は、第１逆溝部４３と相まって、使用時の通気孔、洗濯時の水抜きに寄与する。ここでは、第２逆溝部４４として、逆Ｕ字状の断面を有する溝を複数設けた例を示している。図中、第２逆溝部４４を１０個設けているが、その数は１０個に限られることなく、所望の数とすることができる。第２逆溝部４４は、幅方向の中央領域を挟む周辺領域に設けられており、これは、使用者の正中線に対応する中央領域が沈み込み過ぎる（いわゆる「底付き」）ことを防止するものである。
【００３０】
第１層部４０の幅方向の両端にはそれぞれ、第１外側表面４０ａの側において、幅方向に延在する端部４１が設けられている。端部４１の下面には、後述する端座位支持部６０が取り付けられる。第１外側表面４０ａの端部４１の中央寄りには、凹凸部４２を横切って長手方向に延在する第４溝部４５が設けられている。第４溝部４５は、端部４１の下方に端座位支持部６０に設けられていることを視覚的に示す目印として役立つとともに、第１層部４０と、第１層部４０の端部４１に覆われた端座位支持部６０との硬度の相違に、メリハリを付けることに寄与する。第４溝部４５を設けた場合、設けない場合に比較し、第１層部４０の端部４１に覆われた端座位支持部６０の硬度を、全体として、１０％程度高くすることができる。
【００３１】
（第２層部）
次に、図１、図２に加えて図４（ａ）（ｂ）（ｃ）を参照して、第２層部５０について説明する。第２層部５０は、第２外側表面５０ａが平面によって構成されている。第２外側表面５０ａは、第１層部４０の第１外側表面４０ａが凹凸部４２によって構成されているのに対し、中硬度のウレタンフォームの平面によって構成されていることから、第１外側表面４０ａに対し相対的に高硬度となっている。これにより、第２外側表面５０ａは、横臥する使用者の身体の沈み込みを抑制し、寝返りのし易いしっかりした横臥面を提供することができる。
【００３２】
第２層部５０の第２内側表面５０ｂには、長手方向に延在して両端で開口する複数の第５溝部５２が設けられている。第５溝部５２は、第１層部４０の第２逆溝部４４のうち左右両端のものに対向して設けられている。第５溝部５２は、第２逆溝部４４と相まって、使用時の通気孔、洗濯時の水抜きに寄与するとともに、第１層部４０と第２層部５０との間に接着剤を塗布する場所の目印としても有用となる。ここでは、第５溝部５２として、Ｕ字状の断面を有する溝を第２逆溝部４４の左右両端に対応して２個設けているが、その数は２個に限られることなく、所望の数としてもよい。
【００３３】
第２層部５０の幅方向の両端にはそれぞれ、第２外側表面５０ａの側において、幅方向に延在する端部５１が設けられている。端部５１の上面には、後述する端座位支持部６０が取り付けられる。なお、ここでは、図示していないが、第１層部４０に設けられた第４溝部４５と同様の役割を果たすため、第２外側表面５０ａの端部５１の中央寄りに、第２外側表面５０ａを横切って長手方向に延在する逆溝部を設けるようにしてもよい。
【００３４】
（端座位支持部）
次に、図１、図２に加えて図５（ａ）（ｂ）（ｃ）を参照して、端座位支持部６０について説明する。本実施形態では、第１層部４０と第２層部５０に加えて、それらの左右端に、第１層部４０の幅方向の端部４１と第２層部５０の幅方向の端部５１に挟まれるように設けられた端座位支持部６０を備えるようにしてもよい。端座位支持部６０は、基層６１と、基層６１の上面に接着された支持層６２とから構成されている。基層６１は、高硬度のウレタンフォームや不織布等から形成されてもよい。
【００３５】
基層６１の下面６１ａには、第１層部４０の第１逆溝部４３に対応する位置にあって幅方向に延在して両端で開口する第３逆溝部６３が設けられている。第３逆溝部６３は、第１層部４０の第１逆溝部４３に連通しており、端座位支持部６０をマットレス部材１０に装着した場合にも、使用者が横臥してマットレス１を使用する際に湿気が籠もり難くし、また乾燥し易いという効果を奏する。さらに、マットレス１をマットレス部材１０ごとに洗濯する際にも、内部まで洗浄し易くし、洗濯後においても水切れが容易で乾燥し易いという効果を奏する。
【００３６】
第３逆溝部６３は、ここでは第１層部４０の第１逆溝部４３に対応して６個設けられており、第１逆溝部４３の数によって増減することになる。第３逆溝部６３は、第１逆溝部４３の開口の幅方向をカバーするように設けられている。
【００３７】
基層６１の上面には、支持層６２が設けられている。支持層６２は、基層６１や、第１層部４０及び第２層部５０よりも硬い素材となるように、不織布を圧縮加工して形成されている。例えば、厚さ３０ｍｍの不織布層を熱プレスによって厚さ１０ｍｍに圧縮する。これにより、図６に示すように、使用者がマットレス部材１０の左右端に腰掛けても腰が沈み込むことが抑制され、端座位が安定し、使用者が立ち上がる際に体重を支えることにより立上りが容易になる。
【００３８】
（インナーカバー及び本体カバー）
次に、図７及び図８を参照して、インナーカバー２０及び本体カバー３０について説明する。インナーカバー２０は、マットレス部材１０を各別に包む袋状に形成されており、ポリエステル等の合成樹脂から形成されている。インナーカバー２０は、メッシュ状のように通気性のある素材に形成することが使用時の蒸れを防止するうえで好ましい。マットレス部材１０は、インナーカバー２０に包むことによって滑りが良くなり、本体カバー３０への出し入れが容易となる。
【００３９】
インナーカバー２０は、マットレス１の長手方向の一辺に開口（不図示）を有しており、マットレス部材１０を開口から出し入れする。開口については、留め具を設けずに重ね合わせ状にして開放状態に形成してもよいし、留め具を設けて閉鎖可能に形成してもよい。なお、留め具を設ける場合、その態様は、ファスナー、紐、ホック、安全ピンなどのいずれであってもよい。
【００４０】
複数のマットレス部材１０は、例えば図１に示したような配列で、各別にインナーカバー２０に包まれた状態で本体カバー３０に長手方向に並べて入れられている。本体カバー３０は、ウレタン合皮によって形成されており、完全防水が可能であり、使用者が嘔吐、吐血、失禁、薬剤漏れなどが生じた場合であっても、これらが内部に浸透することを防ぐことができ、感染防止などの安全対策や悪臭防止などの衛生対策を実現できる。また、アルコールなどによる清拭消毒も可能である。
【００４１】
本体カバー３０は、マットレス１の長手方向の一辺に開口（不図示）を有しており、複数のマットレス部材１０を開口から出し入れする。開口については、留め具を設けて閉鎖可能に形成されており、留め具の態様は、ファスナー、紐、ホック、安全ピンなどのいずれであってもよい。また、マットレス１の長手方向の少なくとも一辺には、マットレス１をマットレス部材１０ごとに折り畳んだり、また、持ち運びやベッド上での配置の調整などの便宜のために取っ手３１が設けられている。図８は、マットレス部材１０が３分割されている場合において、中部マットレス部材１０ｂを本体カバー３０から取り出し、中部マットレス部材１０ｂを挟んで上部マットレス部材１０ａと下部マットレス部材１０ｃを折り畳んだ状態を示している。このように折り畳めることから、マットレス１は、不使用時にコンパクトにすることができ、省スペースを図ることができる。
【００４２】
（マットレス部材の組合せ）
上記したように、マットレス部材１０は、第１層部４０の第１外側表面４０ａが相対的に低硬度の柔らかな横臥面を提供し、第２層部５０の第２外側表面５０ａが相対的に高硬度のしっかりした横臥面を提供することから、複数のマットレス部材１０の配列を変更することにより、使用者の好みや身体の状態に応じた部位ごとの横臥面を提供することができる。例えば、図９（図１と同様にインナーカバー２０及び本体カバー３０の図示は省略している）は、図１に対して、それぞれのマットレス部材１０の横臥面について、上部マットレス部材１０ａ及び下部マットレス部材１０ｃを相対的に低硬度の第１外側表面４０ａとし、中部マットレス部材１０ｂを相対的に高硬度の第２外側表面５０ａとした例を示している。このように、本実施形態のマットレス１は、使用者の希望に応じて、身体の部位ごとにマットレス部材１０の質感の異なる横臥面を自在に選択することができる。
【００４３】
なお、既に述べたように、ここでは、上／中／下の３つに分割されたマットレス部材１０の場合について説明しているが、分割の数は３つに限られることはなく、上／下の２分割としたり、上／中上／中下／下の４分割以上としたりすることも、もちろん可能である。
【００４４】
分割されたマットレス部材１０は、それぞれ単独で取り扱うことが可能であるので、汚れや臭いが付着した場合、そのマットレス部材１０のみを洗濯すればよく、マットレス１全体を洗濯することに比べて、洗浄、すすぎ、脱水、乾燥などの洗濯の一連のプロセスが極めて容易となる。これにより、常にマットレス１の清浄を維持することが可能となる。
【００４５】
また、図１０に示すように、マットレス１が長期間使用されると、特に殿部に対応する部分がどうしても“ヘタリ（凹み）”が生じてくるが、従来の単体のマットレス１’の場合（図１０（ｂ））、殿部の周りから周辺に“ヘタリ（凹み）”が広がっていき、結果として、マットレス全部を取り替える必要が出てくる。これに対し、本実施形態のマットレス１（図１０（ａ））は、分割されたマットレス部材１０（ここでは、中部マットレス部材１０ｂ）のみを取り替えることによって、マットレス１の全体を新品と同様に使用することが可能となる。また、分割されたマットレス部材１０をローテーションを組んで上／中／下で位置を変化させていくことにより、“ヘタリ（凹み）”の進行を遅らせることができ、ひいては、マットレス１全体の寿命（耐用性）を延ばすこともできる。
【００４６】
（変形例）
以上の説明では、第１逆溝部４３及び第２逆溝部４４を第１層部４０の第１内側表面４０ｂに設けた例を示したが、第１逆溝部４３及び第２逆溝部４４は、第２層部５０の第２内側表面５０ｂに設けてもよいし、第１層部４０の第１内側表面４０ｂと第２層部５０の第２内側表面５０ｂの双方に設けてもよい。要するに、第１層部４０及び第２層部５０の少なくとも一方が、他方の側に位置する内側表面（第１内側表面４０ｂ又は第２内側表面５０ｂ）において、第１逆溝部４３及び第２逆溝部４４の少なくとも一方を有するように構成すればよい。このように構成しても、前述した第１逆溝部４３及び第２逆溝部４４と同様の効果を奏することができる。
【００４７】
なお、第２逆溝部４４を第２層部５０の第２内側表面５０ｂに設けた場合には、第５溝部５２は、第１層部４０の第１内側表面４０ｂに設けることとなる。また、第２逆溝部４４を第１層部４０の第１内側表面４０ｂと第２層部５０の第２内側表面５０ｂの双方に設けた場合には、第５溝部５２は、互いに対向することとなる第２逆溝部４４の１つとして吸収されることとなる。
【００４８】
また、以上の説明では、第１層部４０及び第２層部５０を単層構造として説明したが、各層部を多層構造としてもよい。例えば、第１層部４０を２層に区分し、一方の層の外側の面を第１外側表面４０ａと、他方の層の第２層部５０の側に位置する内側の面を第１内側表面４０ｂとしてもよい。さらに、第１層部４０を３層以上に区分したような場合には、１つの外側の層の外側の面を第１外側表面４０ａと、反対側の外側の層の第２層部５０の側に位置する内側の面を第１内側表面４０ｂとしてもよい。第２層部５０についても同様である。したがって、第１層部４０及び第２層部５０は、それらの組合せについて、単層構造／単層構造、単層構造／多層構造、多層構造／単層構造、多層構造／多層構造の中から選択することができる。
【００４９】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。例えば、上記の実施形態では、第１層部４０の第１外側表面４０ａと、第２層部５０の第２外側表面５０ａとの硬度の相対化をそれぞれの表面形状によって達成しているが、各層部の材質を異ならせることによって達成してもよい。
【符号の説明】
【００５０】
１…マットレス
１０…マットレス部材
２０…インナーカバー
３０…本体カバー
４０…第１層部
４０ａ…第１外側表面
４０ｂ…第１内側表面
４１…端部
４２…凹凸部
４３…第１逆溝部
４４…第２逆溝部
４５…第４溝部
５０…第２層部
５０ａ…第２外側表面
５０ｂ…第２内側表面
５１…端部
５２…第５溝部
６０…端座位支持部
６１…基層
６２…支持層
６３…第３逆溝部
【図１】
0006736822.tif 000002
【図２】
0006736822.tif 000003
【図３】
0006736822.tif 000004
【図４】
0006736822.tif 000005
【図５】
0006736822.tif 000006
【図６】
0006736822.tif 000007
【図７】
0006736822.tif 000008
【図８】
0006736822.tif 000009
【図９】
0006736822.tif 000010
【図１０】
0006736822.tif 000011